(57)【要約】      （修正有）【課題】ティッシュボックス収納ケースで、薄型または厚型のティッシュボックスを容易にどちらかのボックスのサイズに対応して収納出来る構造を提供する。【解決手段】ティッシュボックス収納ケースの第１蓋部の縁部裏側の長手方向両端部の止着具直下から、底方向に向う止着具４ｃ、４ｄを設け、端部を開放端とした板状片を延設し、厚型のティッシュボックス８を収納する時、板状片に設けた止着具４ｃと、第１蓋片に設けた止着具４ａとを接合した後、縁部裏側から第２蓋部方向に向かう突出した板状片の止着具４ｄを第２蓋部の止着具４ｂに接合して、取出スリットが構成され、ティッシュペーパーの引出しが可能になる。また、高さが薄型のティッシュボックスを収納する場合、第１蓋片と第２蓋片の縁部裏側２ｂ及び３ｂを対向するように止着具４ａ、４ｂを接合して、スリットを構成し、ティッシュペーパー先端を引き出し使用する。【選択図】  図１
2004217300.tif 000002
【特許請求の範囲】
【請求項１】
ティッシュボックスを収納する収納部と、該収納部をその上方且つ横幅方向の両側から開閉自在に第１蓋片と第２蓋片を延設し、前記第１蓋片と第２蓋片の対向する端部同士を接合してティッシュペーパーの取出スリットを形成してなるティッシュボックスの収納ケースにおいて、
前記第１蓋片と第２蓋片の、それぞれの延設方向開放端の縁部裏側を対向するように接続する止着具を該縁部裏側の長手方向両端部に設けるとともに、
第１蓋片の縁部裏側に設けられた止着具の直下から底方向に向かって可撓性材料からなる板状片を延設し、該板状片には第１蓋片の縁部裏側に設けられた止着具から一直線上に一定の間隔をおいて板状片の開放端方向に向かって２個の止着具を設けたことを特徴とするティッシュボックスの収納ケース。
【発明の詳細な説明】
【０００１】
【発明の属する技術分野】
本発明は、ティッシュボックスを収納するためのケースの構造に関する。
【０００２】
【従来の技術】
従来、ティッシュボックスを収納するためのケースが種々提案されている。ティッシュボックスは印刷が施されているとはいえ紙製の箱体からなるため、体裁に欠ける面があり、使用者はインテリアにあったデザインや自分の好みの素材でできたケースにティッシュボックスを収納して使用する。
これらのケースはティッシュボックスの外形寸法に合わせてティッシュボックス全体を収納して、ケース上面などに設けられたティッシュペーパーを取り出すためのスリットからティッシュペーパーを取り出して使用するように構成されている。
また、近年ティッシュボックスは高さサイズが薄型の製品が主流を占めているが、一部従来の高さサイズの厚型の製品も市場に存在し、薄型と厚型の２種類のティッシュボックスが混在している。
そのような薄型と厚型のティッシュボックスの両方に対応できるように、例えば実用新案登録第３０８６９８５号（特許文献１）が提案されており、請求項５及び明細書１１頁
【００１７】に示されるようにティッシュボックスケースの底面に底上げベースを着脱自在に装着することで、ティッシュボックスの高さサイズが低い場合は底上げベースを装着し、高い場合は底上げベースを外して対応することが示されている。
【０００３】
図７は、それを示す特許文献１の第８図の（Ａ）と（Ｂ）である。
【０００４】
【特許文献１】実用新案登録第３０８６９８５号公報
【０００５】
【発明が解決しようとする課題】
しかしながら、特許文献１の明細書に示されたティッシュボックスケースは、異なる高さサイズのティッシュボックスに対応させようとする場合、底上げベースを着脱する必要があり、底上げベースが不要なときは別途保管しておくが、ティッシュボックスケースから離脱しているため、亡失することがある。
また、同じく特許文献１の明細書第１１頁
【００１７】には、収納部内で折り畳まれるタイプ（図示されず）も存在するとされているが、折り畳んだり、広げたりという作業が発生するのは煩雑なことであり、何れも部品点数が増加することになるのでコスト面においても不利である。
本発明は、このような問題を解消し、低コストでしかも簡易な構造で、ティッシュボックスの高さサイズの違いに対応できるティッシュボックスの収納ケースを提供することを目的としている。
【０００６】
【課題を解決するための手段】
上記の課題は本発明によれば、ティッシュボックスを収納する収納部と、該収納部をその上方且つ横幅方向の両側から開閉自在に第１蓋片と第２蓋片を延設し、前記第１蓋片と第２蓋片の対向する端部同士を接合してティッシュペーパーの取出スリットを形成してなるティッシュボックスの収納ケースにおいて、前記第１蓋片と第２蓋片の、それぞれの延設方向開放端の縁部裏側を対向するように接続する止着具を該縁部裏側の長手方向両端部に設けるとともに、第１蓋片の縁部裏側に設けられた止着具の直下から底方向に向かって可撓性材料からなる板状片を延設し、該板状片には第１蓋片の縁部裏側に設けられた止着具から一直線上に一定の間隔をおいて板状片の開放端方向に向かって２個の止着具を設ける事で解決される。
【０００７】
【発明の実施の形態】
次に本発明を図１から図６に示す実施の形態に基づいて詳細に説明する。
図中１は、本発明のティッシュボックスの収納ケースであり、合成皮革等の軟質素材からなり、上方を開放され横幅方向の両側から第１蓋片２ａと第２蓋片３ａが延設される。延設された第１蓋片２ａと第２蓋片３ａには、それぞれの延設方向の開放端の縁部裏側２ｂ及び３ｂとを対向するようにしてその長手方向両端部に設けられた止着具４ａ、４ｂにより接合され、ティッシュペーパー９の取出スリット５を構成する。
第２図に示すように、第１蓋片２ａの縁部裏側２ｂに設けられた止着具４ａの直下から底方向に向かって可撓性材料からなる長方形の板状片６が延設される。板状片６には縁部裏側２ｂに設けられた止着具４ａから一直線上に一定の間隔をおいて板状片６の開放端方向に向かって２個の止着具４ｃ、４ｄが順に４ａと同一の面に設けられている。止着具は、本実施例においては雄と雌とで接合可能なスナップフックを用いており、４ａは雄、４ｂは雌、４ｃは雌、４ｄは雄としている。
【０００８】
高さサイズが薄型のティッシュボックス７を本発明のティッシュボックスの収納ケース１にセットする場合は、まず第１蓋片２ａと第２蓋片３ａの止着具４ａ、４ｂを外して開放し、薄型のティッシュボックス７を内部に収納する。
その後、第１蓋片２ａと第２蓋片３ａの縁部裏側２ｂ及び３ｂとを対向するようにしてその長手方向両端部に設けられた止着具４ａ、４ｂにより接合して、ティッシュペーパー９の取出スリット５を構成し、ティッシュペーパー９の先端を引き出して使用する。（第２図及び第３図参照）
【０００９】
このように構成したティッシュボックスの収納ケース１は、薄型のティッシュボックス７に適したサイズに各部を設定しているために、厚型のティッシュボックス８を収納しようとすると、第１蓋片２ａの止着具４ａと、第２蓋片３ａの止着具４ｂとがお互いに届かずに、接合が不可能になる。
そこで本発明では、厚型のティッシュボックス８をティッシュボックスの収納ケース１に収納する場合は、止着具４ａの直下から底方向に向かって延設された板状片６に設けられた２個の止着具４ｃ、４ｄを使用して対応する。
【００１０】
以下、厚型のティッシュボックス８を収納する場合を説明する。
厚型のティッシュボックス８をティッシュボックスの収納ケース１にセットする場合は、前記薄型のティッシュボックス７と同様に、第１蓋片２ａと第２蓋片３ａの止着具を外して開放し、厚型のティッシュボックス８を内部に収納する。その後図４及び第６図（Ｂ）に示すように止着具４ａと、該止着具４ａの直下から底方向に向かって延設された板状片６に設けられた止着具４ｃ同士を、板状片６の開放された端部が縁部裏側２ｂから突出するように折り曲げて接合する。板状片６は可撓性のある材料（本実施例ではティッシュボックスの収納ケースと同一素材の合成皮革からなっている。）からなるので、容易に折り曲げることが可能である。
このように縁部裏側２ｂから第２蓋片３ａに向かって突出させた板状片６に設けられた止着具４ｄを、第２蓋部３ａに設けられた止着具４ｂと接合することにより、ティッシュペーパーの取出スリット５が構成され、ティッシュペーパー９の先端を引き出して使用することが可能になる。（第５図参照）
【００１１】
本実施例では止着具を、雄と雌とで接合されるスナップフックを用い、４ａは雄、４ｂは雌、４ｃは雌、４ｄは雄として接合関係を決定しているが、雄と雌の関係は逆転したとしても、同様の効果が生じるので、本発明の技術範囲を逸脱するものではない。また、スナップフック以外の雄と雌の関係で接合可能な止着具であれば、これに限定されるものではなく、布製面ファスナーや、釦と釦ホールという関係でも同様の効果が生じ、本発明の技術範囲を逸脱するものではない。
【００１２】
【発明の効果】
以上説明した本発明により、ティッシュボックスの収納ケース１の第１蓋部２ａの縁部裏側２ｂの長手方両端部に設けられた止着具４ａの直下から底方向に向かって、止着具４ｃ、４ｄを設けるとともに端部を開放してなる板状片６を延設したことにより、厚型のティッシュボックス８の場合でも、板状片６に設けられた止着具４ｃと、第１蓋片２ａに設けられた止着具４ａとを接合した後に、縁部裏側２ｂから第２蓋部３ａ方向に向かうように突出させた板状片６の止着具４ｄを、第２蓋部３ａの止着具４ｂに接合することで、ティッシュペーパー９の取出スリット５が構成され、ティッシュペーパー９の先端を引き出して使用することが可能になる。
また、薄型のティッシュボックス７の場合は、単に止着具４ａと４ｂを接合するだけでよく、板状片６は底方向に向かって延設されているので、通常の使用において特に邪魔にならない。
このように、板状片６に設けられた止着具４ｃ、４ｄと縁部裏側２ｂに設けられた止着具４ａと、縁部裏側３ｂに設けられた止着具４ｂとの接合方法を変えることにより、容易に薄型と厚型のティッシュボックスに対応することが可能になる。しかも部品点数も少なくて済むので、低コストで実用性に優れた効果を奏するものである。
【図面の簡単な説明】
【図１】本発明の実施例の第１蓋部２ａと第２蓋部３ａを開けた状態の外観説明図である。
【図２】内部に薄型のティッシュボックス７を収納した状態を示す側面から見た断面図
である。
【図３】図２の外観を示す斜視図である。
【図４】内部に厚型のティッシュボックス８を収納した状態を示す側面から見た断面図である。
【図５】図４の外観を示す斜視図である。
【図６】（Ａ）は図２における止着具の接合関係を示した説明図である。
（Ｂ）は図４における止着具の接合関係を示した説明図である。
【図７】特許文献１の第８図である。
【符号の説明】
１                        ティッシュボックスの収納ケース
２ａ                      第１蓋片
２ｂ、３ｂ                縁部裏側
３ａ                      第２蓋片
４ａ、４ｂ、４ｃ、４ｄ    止着具
５                        取出スリット
６                        板状片
７                        薄型のティッシュボックス
８                        厚型のティッシュボックス
９                        ティッシュペーパー
【図１】
2004217300.tif 000003
【図２】
2004217300.tif 000004
【図３】
2004217300.tif 000005
【図４】
2004217300.tif 000006
【図５】
2004217300.tif 000007
【図６】
2004217300.tif 000008
【図７】
2004217300.tif 000009